(57)【要約】  セメント基材のための封止材組成物、該封止材組成物で封止されたセメント構造物、および該封止材組成物で鉄骨鉄筋セメント構造物を封止する方法。前記封止材組成物は、第一シランと、該第一シランよりも高い分子量を有する第二シランと、腐食防止剤との実質的に非水性のブレンドを含む。該腐食防止剤は、シランに可溶であり、溶媒希釈シランに可溶であり、水に少なくとも部分的に可溶である。前記セメント構造物は、セメント基材および該基材の表面に塗布されて、該基材に少なくとも部分的に浸透している前記封止材を含む。腐食原因物質の侵入から鉄骨鉄筋セメント構造物を封止する方法は、前記封止材を鉄骨鉄筋セメント基材の表面に塗布して、前記封止材組成物を前記基材に浸透させて前記基材を封止することを含む。【特許請求の範囲】
【請求項１】
セメント基材のための封止材組成物であって、
第一シランと；
該第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含む、前記封止材組成物。
【請求項２】
前記第一シランの分子量は、約１００ｇ／ｍｏｌ〜約２７０ｇ／ｍｏｌである、請求項１記載の封止材組成物。
【請求項３】
前記第二シランの分子量は、約２７０ｇ／ｍｏｌ〜約５７５ｇ／ｍｏｌである、請求項１記載の封止材組成物。
【請求項４】
前記第一シランの分子量は、約１０４ｇ／ｍｏｌ〜約２７０ｇ／ｍｏｌであり、前記第二シランの分子量は、約２７０ｇ／ｍｏｌ〜約５７６ｇ／ｍｏｌである、請求項１記載の封止材組成物。
【請求項５】
前記第一シランの分子量は、約１５０ｇ／ｍｏｌ〜約２５０ｇ／ｍｏｌであり、前記第二シランの分子量は、約２７０ｇ／ｍｏｌ〜約４００ｇ／ｍｏｌである、請求項１記載の封止材組成物。
【請求項６】
前記第一シランの分子量は、約１７０ｇ／ｍｏｌ〜約２４０ｇ／ｍｏｌであり、前記第二シランの分子量は、約２７０ｇ／ｍｏｌ〜約３００ｇ／ｍｏｌである、請求項１記載の封止材組成物。
【請求項７】
前記第一シランは、アルキルトリアルコキシシラン、ジアルキルジアルコキシシラン、およびトリアルキルアルコキシシランからなる群から選択される、請求項４記載の封止材組成物。
【請求項８】
前記第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、およびイソブチルトリエトキシシランからなる群から選択される、請求項７記載の封止材組成物。
【請求項９】
前記第一シランは、メチルトリエトキシシランおよびイソブチルトリエトキシシランからなる群から選択される、請求項８記載の封止材組成物。
【請求項１０】
前記第二シランは、アルキルトリアルコキシシラン、ジアルキルジアルコキシシラン、およびトリアルキルアルコキシシランからなる群から選択される、請求項４記載の封止材組成物。
【請求項１１】
前記第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、およびヘキサデシルトリエトキシシランからなる群から選択される、請求項１０記載の封止材組成物。
【請求項１２】
前記第二シランは、ｎ−オクチルトリエトキシシランを含む、請求項１１記載の封止材組成物。
【請求項１３】
前記第一シランは、イソブチルトリエトキシシランを含み、前記第二シランは、ｎ−オクチルトリエトキシシランを含む、請求項４記載の封止材組成物。
【請求項１４】
前記セメント基材は、コンクリート、組積造、およびモルタルからなる群から選択される、請求項４記載の封止材組成物。
【請求項１５】
前記セメント基材は、コンクリートを含む、請求項１４記載の封止材組成物。
【請求項１６】
前記腐食防止剤は、アルキルアセトアミド、アルキルカルボン酸およびその塩、アルコキシカルボン酸およびその塩、アルコキシレート、リン含有化合物、トリアジン、およびその混合物からなる群から選択される、請求項４記載の封止材組成物。
【請求項１７】
前記腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物からなる群から選択される、請求項１６記載の封止材組成物。
【請求項１８】
前記腐食防止剤は、エチニルカルビノールアルコキシレートとアミンブロックされたＣ6〜Ｃ10アルキルリン酸モノエステルのブレンドを含む、請求項１７記載の封止材組成物。
【請求項１９】
前記腐食防止剤は、ジメチルアセトアミドとトリイソブチルホスフェートのブレンドを含む、請求項１７記載の封止材組成物。
【請求項２０】
前記腐食防止剤は、ジメチルアセトアミドとトリイソブチルホスフェートのブレンドを含む、請求項１３記載の封止材組成物。
【請求項２１】
セメント基材；および浸透性の封止材を含むセメント構造物であって、
該封止材は、
第一シランと；
該第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含み、
該封止材は、前記セメント基材の表面に塗布されて、該基材に少なくとも部分的に浸透している、前記セメント構造物。
【請求項２２】
前記セメント基材は、コンクリート基材、組積造基材、およびモルタル基材からなる群から選択される、請求項２１記載のセメント構造物。
【請求項２３】
前記セメント基材は、コンクリート基材および組積造基材からなる群から選択される、請求項２２記載のセメント構造物。
【請求項２４】
前記セメント基材は、コンクリート基材を含む、請求項２３記載のセメント構造物。
【請求項２５】
前記第一シランの分子量は、約１００ｇ／ｍｏｌ〜約２７０ｇ／ｍｏｌである、請求項２４記載のセメント構造物。
【請求項２６】
前記第二シランの分子量は、約２７０ｇ／ｍｏｌ〜約５７５ｇ／ｍｏｌである、請求項２４記載のセメント構造物。
【請求項２７】
前記第一シランの分子量は、約１００ｇ／ｍｏｌ〜約２７０ｇ／ｍｏｌであり、前記第二シランの分子量は、約２７０ｇ／ｍｏｌ〜約５７５ｇ／ｍｏｌである、請求項２４記載のセメント構造物。
【請求項２８】
前記第一シランの分子量は、約１５０ｇ／ｍｏｌ〜約２５０ｇ／ｍｏｌであり、前記第二シランの分子量は、約２７０ｇ／ｍｏｌ〜約４００ｇ／ｍｏｌである、請求項２４記載のセメント構造物。
【請求項２９】
前記第一シランの分子量は、約１７０ｇ／ｍｏｌ〜約２４０ｇ／ｍｏｌであり、前記第二シランの分子量は、約２７０ｇ／ｍｏｌ〜約３００ｇ／ｍｏｌである、請求項２４記載のセメント構造物。
【請求項３０】
前記第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、およびイソブチルトリエトキシシランからなる群から選択される、請求項２７記載のセメント構造物。
【請求項３１】
前記第一シランは、メチルトリエトキシランおよびイソブチルトリエトキシシランからなる群から選択される、請求項３０記載のセメント構造物。
【請求項３２】
前記第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、およびヘキサデシルトリエトキシランからなる群から選択される、請求項２７記載のセメント構造物。
【請求項３３】
前記第二シランは、ｎ−オクチルトリエトキシシランを含む、請求項３２記載のセメント構造物。
【請求項３４】
前記第一シランは、イソブチルトリエトキシシランを含み、前記第二シランは、ｎ−オクチルトリエトキシシランを含む、請求項２７記載のセメント構造物。
【請求項３５】
前記腐食防止剤は、アルキルアセトアミド、アルキルカルボン酸およびその塩、アルコキシカルボン酸およびその塩、アルコキシレート、リン含有化合物、トリアジン、およびその混合物からなる群から選択される、請求項２７記載のセメント構造物。
【請求項３６】
前記腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物からなる群から選択される、請求項３５記載のセメント構造物。
【請求項３７】
前記腐食防止剤は、エチニルカルビノールアルコキシレートとアミンブロックされたＣ6〜Ｃ10アルキルリン酸モノエステルのブレンドを含む、請求項３６記載のセメント構造物。
【請求項３８】
前記腐食防止剤は、ジメチルアセトアミドとトリイソブチルホスフェートのブレンドを含む、請求項３６記載のセメント構造物。
【請求項３９】
前記腐食防止剤は、ジメチルアセトアミドとトリイソブチルホスフェートのブレンドを含む、請求項３４記載のセメント構造物。
【請求項４０】
腐食原因物質の侵入から鉄骨鉄筋セメント構造物を封止する方法であって、
第一シランと；
該第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含む浸透性の封止材を、封止される前記鉄骨鉄筋セメント基材の表面に塗布して、前記封止材組成物を前記基材に浸透させることを含む、前記方法。
【請求項４１】
前記セメント基材は、コンクリート基材、組積造基材、およびモルタル基材からなる群から選択される、請求項４０記載の鉄骨鉄筋セメント構造物を封止する方法。
【請求項４２】
前記セメント基材は、コンクリート基材および組積造基材からなる群から選択される、請求項４１記載の鉄骨鉄筋セメント構造物を封止する方法。
【請求項４３】
前記セメント基材は、コンクリート基材を含む、請求項４２記載の鉄骨鉄筋セメント構造物を封止する方法。
【請求項４４】
前記第一シランの分子量は、約１００ｇ／ｍｏｌ〜約２７０ｇ／ｍｏｌである、請求項４３記載の鉄骨鉄筋セメント構造物を封止する方法。
【請求項４５】
前記第二シランの分子量は、約２７０ｇ／ｍｏｌ〜約５７５ｇ／ｍｏｌである、請求項４３記載の鉄骨鉄筋セメント構造物を封止する方法。
【請求項４６】
前記第一シランの分子量は、約１００ｇ／ｍｏｌ〜約２７０ｇ／ｍｏｌであり、前記第二シランの分子量は、約２７０ｇ／ｍｏｌ〜約５７５ｇ／ｍｏｌである、請求項４３記載の鉄骨鉄筋セメント構造物を封止する方法。
【請求項４７】
前記第一シランの分子量は、約１５０ｇ／ｍｏｌ〜約２５０ｇ／ｍｏｌであり、前記第二シランの分子量は、約２７０ｇ／ｍｏｌ〜約４００ｇ／ｍｏｌである、請求項４３記載の鉄骨鉄筋セメント構造物を封止する方法。
【請求項４８】
前記第一シランの分子量は、約１７０ｇ／ｍｏｌ〜約２４０ｇ／ｍｏｌであり、前記第二シランの分子量は、約２７０ｇ／ｍｏｌ〜約３００ｇ／ｍｏｌである、請求項４３記載の鉄骨鉄筋セメント構造物を封止する方法。
【請求項４９】
前記第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、およびイソブチルトリエトキシシランからなる群から選択される、請求項４６記載の鉄骨鉄筋セメント構造物を封止する方法。
【請求項５０】
前記第一シランは、メチルトリエトキシシランおよびイソブチルトリエトキシシランからなる群から選択される、請求項４９記載の鉄骨鉄筋セメント構造物を封止する方法。
【請求項５１】
前記第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、およびヘキサデシルトリエトキシシランからなる群から選択される、請求項４６記載の鉄骨鉄筋セメント構造物を封止する方法。
【請求項５２】
前記第二シランは、ｎ−オクチルトリエトキシシランを含む、請求項５１記載の鉄骨鉄筋セメント構造物を封止する方法。
【請求項５３】
前記第一シランは、イソブチルトリエトキシシランを含み、前記第二シランは、ｎ−オクチルトリエトキシシランを含む、請求項４６記載の鉄骨鉄筋セメント構造物を封止する方法。
【請求項５４】
前記腐食防止剤は、アルキルアセトアミド、アルキルカルボン酸およびその塩、アルコキシカルボン酸およびその塩、アルコキシレート、リン含有化合物、トリアジン、およびその混合物からなる群から選択される、請求項４６記載の鉄骨鉄筋セメント構造物を封止する方法。
【請求項５５】
前記腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物からなる群から選択される、請求項５４記載の鉄骨鉄筋セメント構造物を封止する方法。
【請求項５６】
前記腐食防止剤は、エチニルカルビノールアルコキシレートとアミンブロックされたＣ6〜Ｃ10アルキルリン酸モノエステルのブレンドを含む、請求項５５記載の鉄骨鉄筋セメント構造物を封止する方法。
【請求項５７】
前記腐食防止剤は、ジメチルアセトアミドとトリイソブチルホスフェートのブレンドを含む、請求項５５記載の鉄骨鉄筋セメント構造物を封止する方法。
【請求項５８】
前記腐食防止剤は、ジメチルアセトアミドとトリイソブチルホスフェートのブレンドを含む、請求項５３記載の鉄骨鉄筋セメント構造物を封止する方法。
【発明の詳細な説明】
【技術分野】
【０００１】
背景
腐食は、物質（通常、金属）の劣化またはその環境との反応の結果としてのその特性として一般に定義される自然発生現象である。地震または極端な気象擾乱などの他の自然災害と同様に、腐食は、廃水システム、パイプライン、橋梁、道路および公共建築物に危険かつ高価な損害を引き起こす可能性がある。
【０００２】
腐食は、社会にとって非常に大きな問題および負担である。２００１年、Ｔｒａｎｓｐｏｒｔａｔｉｏｎ  Ｅｑｕｉｔｙ  Ａｃｔ  ｆｏｒ  ｔｈｅ  ２１ｓｔ  Ｃｅｎｔｕｒｙ（２１世紀のための交通公平法）の一環として、米国議会は、腐食の影響を最小限に抑えるための費用見積と国家戦略を提供するための包括的な調査を命じた。この調査は、オハイオ州ダブリンのＣＣ  Ｔｅｃｈｎｏｌｏｇｉｅｓ  Ｌａｂｏｒａｔｏｒｉｅｓ，  Ｉｎｃ．が、ＮＡＣＥ  Ｉｎｔｅｒｎａｔｉｏｎａｌ−Ｔｈｅ  Ｃｏｒｒｏｓｉｏｎ  Ｓｏｃｉｅｔｙ（腐食防食協会）とＵｎｉｔｅｄ  Ｓｔａｔｅｓ  Ｆｅｄｅｒａｌ  Ｈｉｇｈｗａｙ  Ａｄｍｉｎｉｓｔｒａｔｉｏｎ  （ＦＨＷＡ、米国連邦高速道路局）の支援を得て実施した。「Ｃｏｒｒｏｓｉｏｎ  Ｃｏｓｔ  Ａｎｄ  Ｐｒｅｖｅｎｔｉｖｅ  Ｓｔｒａｔｅｇｉｅｓ  Ｉｎ  Ｔｈｅ  Ｕｎｉｔｅｄ  Ｓｔａｔｅｓ（米国における腐食コストおよび予防戦略）」と題したこの調査は、腐食の経済的影響に関する包括的な参照資料であり、その時点で２７６０億ドルの膨大な年間コストが推定された。Ｏｆｆｉｃｅ  Ｏｆ  Ｉｎｆｒａｓｔｒｕｃｔｕｒｅ  Ｒｅｓｅａｒｃｈ  ａｎｄ  Ｄｅｖｅｌｏｐｍｅｎｔ（基盤研究開発局）に報告されたこの調査によれば、厳しい天候への曝露および異種金属間の反応性によって引き起こされる腐食および金属廃棄物は、米国経済の大部分に毎年数十億ドルの負担をかけている。この調査は、交通インフラ、電気事業、輸送および貯蔵を含む多数の経済部門を対象としていた。現在、米国における腐食の年間費用は４０００億ドルに増加していると推定されている。ＮＡＣＥ  Ｉｎｔｅｒｎａｔｉｏｎａｌは、２０１６年３月１日に「Ｉｎｔｅｒｎａｔｉｏｎａｌ  Ｍｅａｓｕｒｅｓ  ｏｆ  Ｐｒｅｖｅｎｔｉｏｎ，  Ａｐｐｌｉｃａｔｉｏｎ  ａｎｄ  Ｅｃｏｎｏｍｉｃｓ  ｏｆ  Ｃｏｒｒｏｓｉｏｎ  Ｔｅｃｈｎｏｌｏｇｉｅｓ  Ｓｔｕｄｙ（国際的な防食対策、防食技術の応用および経済に関する調査）」と題した調査も公表した。ＮＡＣＥの調査では、腐食の世界的な影響、産業および政府における腐食管理の役割、資産のライフサイクルを通した腐食管理の最優良事例を確立する試みが考察された。
【０００３】
この調査の時点では、腐食の間接費は、直接費に等しいと控えめに推定され、直接費と間接費の総額は、６０００億ドル超またはＧＤＰの６％であった。現在、直接費と間接費の年間総額は、８０００億ドル超であると推定されている。この費用は、充分に裏付けされた費用しかこの調査に使用されなかったため、控えめな見積であると見なされる。公共の安全への重大な損害および脅威を引き起こすことに加えて、腐食によって操業が中断されて、機能不全の資産の大規模な修理および交換が必要になる。
【０００４】
米国連邦高速道路局は、米国内のほぼ２００，０００基の橋梁、または３基に１つの橋梁を構造上欠陥があるか、または機能的に劣化していると評価している。さらに、すべての橋梁の１／４超が、橋梁の平均設計寿命である５０年を超えている。
【０００５】
米国内の道路および橋梁のインフラは、安全ではなく、交換または大規模修理の必要があると評価された数千基の橋梁があるため崩壊しつつある。これらの多くの場合、腐食は、安全性を損なわせる重大な一因となる。防食対策は、さらなる問題を最小限に抑えるか、または回避するのに役立つことができる。アメリカの老朽化したインフラに取り組むための措置がとられている。例えば、２００９年３月に上程されたＨｏｕｓｅ  ｂｉｌｌ  Ｈ．Ｒ．  １６８２，「Ｂｒｉｄｇｅ  Ｌｉｆｅ  Ｅｘｔｅｎｓｉｏｎ  Ａｃｔ  ２００９（橋梁使用延長法２００９）」では、政府に対して、新規の橋梁の建設または既存の橋梁の修復のためのフェデラルファンドを得ようとする場合に、腐食に起因する損傷の防止と軽減のための計画を提出することが要求された。
【０００６】
多くの鉄筋コンクリート構造物は、早期の劣化を受ける。コンクリート埋設鋼補強材は、最初は、その表面上での安定した酸化皮膜の発現によって腐食から保護されている。この皮膜、または不動態化層は、高アルカリ性コンクリート間隙水と鋼との化学反応によって形成される。アルカリ性条件によってもたらされる不動態は、塩化物の存在によって破壊される可能性がある。塩化物イオンは、局所的に金属を非不動態化し、金属の活性溶解を促進する。鋼の腐食は、通常、塩化物イオンが、腐食が始まる濃度に達するまではごくわずかな程度である。閾値濃度は、例えば、鋼のミクロ環境、間隙溶液のｐＨ、間隙溶液中の他のイオンからの干渉、鉄筋の電位、酸素濃度およびイオン移動度を含む多くの要因に依存する。塩化物は、触媒として作用し、腐食反応で消費されないが、腐食反応に再び関与するために活性を維持する。
【０００７】
塩化物の存在は、コンクリートそれ自体に直接的な悪影響を及ぼさないが、鋼補強材の腐食は促進する。鋼補強材上で形成される腐食生成物は、鋼補強材よりも多くの面積を占め、内部からコンクリートに圧力をかける。この内圧は徐々に増加し、最終的にコンクリートの亀裂やスポーリングをもたらす。鋼補強材の腐食はまた、鉄筋の強度を低下させ、コンクリート構造物の耐荷力を低下させる。
【０００８】
鉄筋コンクリート構造物への損傷は、主として、塩化物イオンおよびその他の腐食を生じさせるイオンがコンクリートを通って鋼補強材を取り囲む領域に浸透することによって引き起こされる。塩化物源は、コンクリート混合物への添加物、例えば塩化物含有促進混和物を含めて数多くある。塩化物は、構造物の環境、例えば海洋条件または凍結防止塩に存在していることもある。これらの物質は、液体の水の存在下にのみコンクリート内で移動する。液体の水は、コンクリートにおける結合剤として使用される水硬性セメントの適切な水和に必要とされる。充分な強度および硬化が達成されると、液体の水は、例えば凍結および融解サイクル、アルカリ性凝集反応、硫酸塩劣化（ｓｕｌｆａｔｅ  ａｔｔａｃｋ）、および鋼補強材の腐食によって引き起こされるようなコンクリートの最も大きい劣化機構の一因となる。コンクリートの内部湿度を下げることができれば、これらの有害な反応の速度は低下する。
【０００９】
鉄骨鉄筋コンクリート構造物の腐食は、人命に危険をもたらし、修理にきわめて費用がかかるため、次世代のためにインフラを保護するための系および方法の改善が必要である。
【００１０】
詳細な説明
セメント基材のための封止材組成物、この封止材組成物で封止されたセメント構造物、および鉄骨鉄筋セメント構造物を封止する方法のための封止材組成物が提供される。封止材組成物は、第一シランと、第一シランよりも高い分子量を有する第二シランと、シランに可溶であり、溶媒希釈シランに可溶であり、水に少なくとも部分的に可溶である腐食防止剤との実質的に非水性のブレンドを含む。セメント構造物は、セメント基材およびこの基材の表面に塗布されて、この基材に少なくとも部分的に浸透している前述の封止材を含む。腐食原因物質の侵入から鉄骨鉄筋セメント構造物を封止する方法は、封止材を鉄骨鉄筋セメント基材の表面に塗布して、封止材組成物を基材に浸透させることを含む。
【００１１】
「実質的に非水性」という用語は、封止材組成物のシランと反応して引火点を不所望のレベルに下げる、かつ／または封止材組成物の揮発性有機化合物含有量を不所望のレベルに増加させる水性成分の量を含まない封止材組成物を指す。「実質的に非水性」とは、意図的に添加されるいかなる水性成分も含まないが、原材料に由来する水性成分を含みうる封止材組成物の実施形態を指す。「実質的に非水性」には、封止材組成物の全体積を基準として５％以下（ｖ／ｖ）、２．５％以下（ｖ／ｖ）、１％以下（ｖ／ｖ）、０．７５％以下（ｖ／ｖ）、０．５％以下（ｖ／ｖ）、０．４％以下（ｖ／ｖ）、０．３％以下（ｖ／ｖ）、０．２５％以下（ｖ／ｖ）、０．２％以下（ｖ／ｖ）、０．１％以下（ｖ／ｖ）、０．０７５％以下（ｖ／ｖ）、０．０５％以下（ｖ／ｖ）、０．０２５％以下、または０．０１％以下（ｖ／ｖ）の水性成分を、この水性成分が任意に添加されたか、または原材料に由来するかに関わらずに含む封止材組成物が含まれてよい。
【００１２】
セメント基材のための封止材組成物であって、
第一シランと；
この第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含む、セメント基材のための封止材組成物が提供される。
【００１３】
特定の例示的な実施形態では、シランは、アルキルアルコキシシラン、アリルアルコキシシラン、ビニルアルコキシシラン、アリールアルコキシシラン、アルキルアリールアルコキシシラン、およびそのブレンドから選択される。
【００１４】
特定の例示的な実施形態では、シランは、アルキルトリアルコキシシラン、ジアルキルジアルコキシシラン、トリアルキルアルコキシシラン、およびそのブレンドから選択される。
【００１５】
特定の態様では、シランは、一般式（Ｉ）
（Ｒ1）a−Ｓｉ−（ＯＲ2）b      （Ｉ）
によって表すことができ、式中、Ｒ1は、同じか、または異なってよく、１個〜２０個の炭素原子を含む飽和もしくは不飽和の、分岐状もしくは非分岐状の、環式もしくは非環式のアルキル基またはアルケニル基、または６個〜２０個の炭素原子を含むアリール基またはアルキルアリール基で表され、
Ｒ2は、同じか、または異なってよく、１個〜６個までの炭素原子を含む分岐状もしくは非分岐状のアルキル基、または２個〜６個の炭素原子を含むエーテル基で表され、
ａおよびｂは、それぞれ１〜３の整数であるが、ただし、ａ＋ｂ＝４である。Ｒ1は、ａ＝２またはａ＝３である場合に同じか、または異なってよく、Ｒ2は、ｂ＝２またはｂ＝３である場合に同じか、または異なってよい。
【００１６】
特定の例示的な実施形態によれば、シランは、メチルトリメトキシシラン、エチルトリメトキシシラン、ｎ−プロピルトリメトキシシラン、イソプロピルトリメトキシシラン、ｎ−ブチルトリメトキシシラン、イソブチルトリメトキシシラン、ｓｅｃ−ブチルトリメトキシシラン、ｔｅｒｔ−ブチルトリメトキシシラン、ｎ−ペンチルトリメトキシシラン、イソペンチルトリメトキシシラン、ネオペンチルトリメトキシシラン、ｎ−ヘキシルトリメトキシシラン、イソヘキシルトリメトキシシラン、シクロヘキシルトリメトキシシラン、ヘプチルトリメトキシシラン、ｎ−オクチルトリメトキシシラン、イソオクチルトリメトキシシラン、ノニルトリメトキシシラン、デシルトリメトキシシラン、ウンデシルトリメトキシシラン、ドデシルトリメトキシシラン、テトラデシルトリメトキシシラン、ヘキサデシルトリメトキシシラン、オクタデシルトリメトキシシラン、イコシルトリメトキシシラン、アリルトリメトキシシラン、ビニルトリメトキシシラン、フェニルトリメトキシシラン、ノニルフェニルトリメトキシシラン、メチルトリエトキシシラン、エチルトリエトキシシラン、ｎ−プロピルトリエトキシシラン、イソプロピルトリエトキシシラン、ｎ−ブチルトリエトキシシラン、イソブチルトリエトキシシラン、ｓｅｃ−ブチルトリエトキシシラン、ｔｅｒｔ−ブチルトリエトキシシラン、ｎ−ペンチルトリエトキシシラン、イソペンチルトリエトキシシラン、ネオペンチルトリエトキシシラン、ｎ−ヘキシルトリエトキシシラン、イソヘキシルトリエトキシシラン、シクロヘキシルトリエトキシシラン、ヘプチルトリエトキシシラン、ｎ−オクチルトリエトキシシラン、イソオクチルトリエトキシシラン、ノニルトリエトキシシラン、デシルトリエトキシシラン、ウンデシルトリエトキシシラン、ドデシルトリエトキシシラン、テトラデシルトリエトキシシラン、ヘキサデシルトリエトキシシラン、オクタデシルトリエトキシシラン、イコシルトリエトキシシラン、アリルトリエトキシシラン、ビニルトリエトキシシラン、フェニルトリエトキシシラン、ノニルフェニルトリエトキシシラン、メチル−トリス−（２−メトキシエトキシ）シラン、エチル−トリス−（２−メトキシエトキシ）シラン、ｎ−プロピル−トリス−（２−メトキシエトキシ）シラン、イソプロピル−トリス−（２−メトキシエトキシ）シラン、ｎ−ブチル−トリス−（２−メトキシエトキシ）シラン、イソブチル−トリス−（２−メトキシエトキシ）シラン、ｓｅｃ−ブチル−トリス−（２−メトキシエトキシ）シラン、ｔｅｒｔ−ブチル−トリス−（２−メトキシエトキシ）シラン、ｎ−ペンチル−トリス−（２−メトキシエトキシ）シラン、イソペンチル−トリス−（２−メトキシエトキシ）シラン、ネオペンチル−トリス−（２−メトキシエトキシ）シラン、ｎ−ヘキシル−トリス−（２−メトキシエトキシ）シラン、イソヘキシル−トリス−（２−メトキシエトキシ）シラン、シクロヘキシル−トリス−（２−メトキシエトキシ）シラン、ヘプチル−トリス−（２−メトキシエトキシ）シラン、ｎ−オクチル−トリス−（２−メトキシエトキシ）シラン、イソオクチル−トリス−（２−メトキシエトキシ）シラン、ノニル−トリス−（２−メトキシエトキシ）シラン、デシル−トリス−（２−メトキシエトキシ）シラン、ウンデシル−トリス−（２−メトキシエトキシ）シラン、ドデシル−トリス−（２−メトキシエトキシ）シラン、テトラデシル−トリス−（２−メトキシエトキシ）シラン、ヘキサデシル−トリス−（２−メトキシエトキシ）シラン、オクタデシル−トリス−（２−メトキシエトキシ）シラン、イコシル−トリス−（２−メトキシエトキシ）シラン、アリル−トリス−（２−メトキシエトキシ）シラン、ビニル−トリス−（２−メトキシエトキシ）シラン、フェニル−トリス−（２−メトキシエトキシ）シラン、ノニルフェニル−トリス−（２−メトキシエトキシ）シラン、メチル−トリス−（２−エトキシエトキシ）シラン、エチル−トリス−（２−エトキシエトキシ）シラン、ｎ−プロピル−トリス−（２−エトキシエトキシ）シラン、イソプロピル−トリス−（２−エトキシエトキシ）シラン、ｎ−ブチル−トリス−（２−エトキシエトキシ）シラン、イソブチル−トリス−（２−エトキシエトキシ）シラン、ｓｅｃ−ブチル−トリス−（２−エトキシエトキシ）シラン、ｔｅｒｔ−ブチル−トリス−（２−エトキシエトキシ）シラン、ｎ−ペンチル−トリス−（２−エトキシエトキシ）シラン、イソペンチル−トリス−（２−エトキシエトキシ）シラン、ネオペンチル−トリス−（２−エトキシエトキシ）シラン、ｎ−ヘキシル−トリス−（２−エトキシエトキシ）シラン、イソヘキシル−トリス−（２−エトキシエトキシ）シラン、シクロヘキシル−トリス−（２−エトキシエトキシ）シラン、ヘプチル−トリス−（２−エトキシエトキシ）シラン、ｎ−オクチル−トリス−（２−エトキシエトキシ）シラン、イソオクチル−トリス−（２−エトキシエトキシ）シラン、ノニル−トリス−（２−エトキシエトキシ）シラン、デシル−トリス−（２−エトキシエトキシ）シラン、ウンデシル−トリス−（２−エトキシエトキシ）シラン、ドデシル−トリス−（２−エトキシエトキシ）シラン、テトラデシル−トリス−（２−エトキシエトキシ）シラン、ヘキサデシル−トリス−（２−エトキシエトキシ）シラン、オクタデシル−トリス−（２−エトキシエトキシ）シラン、イコシル−トリス−（２−エトキシエトキシ）シラン、アリル−トリス−（２−エトキシエトキシ）シラン、ビニル−トリス−（２−エトキシエトキシ）シラン、フェニル−トリス−（２−エトキシエトキシ）シラン、ノニルフェニル−トリス−（２−エトキシエトキシ）シラン、ジメチルジメトキシシラン、ジエチルジメトキシシラン、ジ−ｎ−プロピルジメトキシシラン、ジ−イソプロピルジメトキシシラン、ジ−ｎ−ブチルジメトキシシラン、ジ−イソブチルジメトキシシラン、ジ−ｓｅｃ−ブチルジメトキシシラン、ジ−ｔｅｒｔ−ブチルジメトキシシラン、ブチルメチルジメトキシシラン、ブチルエチルジメトキシシラン、ブチルプロピルジメトキシシラン、ジ−ｎ−ペンチルジメトキシシラン、ジ−イソペンチルジメトキシシラン、ジ−ネオペンチルジメトキシシラン、ジ−ｎ−ヘキシルジメトキシシラン、ジ−イソヘキシルジメトキシシラン、ジ−シクロヘキシルジメトキシシラン、シクロヘキシルメチルジメトキシシラン、シクロヘキシルエチルジメトキシシラン、ヘキシルメチルジメトキシシラン、ヘキシルエチルジメトキシシラン、ジヘプチルジメトキシシラン、ジ−ｎ−オクチルジメトキシシラン、ジ−イソオクチルジメトキシシラン、ジノニルジメトキシシラン、ジ−デシルジメトキシシラン、ジ−ウンデシルジメトキシシラン、ジ−ドデシルジメトキシシラン、ジ−テトラデシルジメトキシシラン、ジ−ヘキサデシルジメトキシシラン、ジ−オクタデシルジメトキシシラン、ジ−イコシルジメトキシシラン、ジ−アリルジメトキシシラン、ジ−ビニルジメトキシシラン、ジ−フェニルジメトキシシラン、ジ−ノニルフェニルジメトキシシラン、ジメチルジエトキシシラン、ジエチルジエトキシシラン、ジ−ｎ−プロピルジエトキシシラン、ジ−イソプロピルジエトキシシラン、ジ−ｎ−ブチルジエトキシシラン、ジ−イソブチルジエトキシシラン、ジ−ｓｅｃ−ブチルジエトキシシラン、ジ−ｔｅｒｔ−ブチルジエトキシシラン、ブチルメチルジエトキシシラン、ブチルエチルジエトキシシラン、ブチルプロピルジエトキシシラン、ジ−ｎ−ペンチルジエトキシシラン、ジ−イソペンチルジエトキシシラン、ジ−ネオペンチルジエトキシシラン、ジ−ｎ−ヘキシルジエトキシシラン、ジ−イソヘキシルジエトキシシラン、ジ−シクロヘキシルジエトキシシラン、シクロヘキシルメチルジエトキシシラン、シクロヘキシルエチルジエトキシシラン、ヘキシルメチルジエトキシシラン、ヘキシルエチルジエトキシシラン、ジヘプチルジエトキシシラン、ジ−ｎ−オクチルジエトキシシラン、ジ−イソオクチルジエトキシシラン、ジノニルジエトキシシラン、ジ−デシルジエトキシシラン、ジ−ウンデシルジエトキシシラン、ジ−ドデシルジエトキシシラン、ジ−テトラデシルジエトキシシラン、ジ−ヘキサデシルジエトキシシラン、ジ−オクタデシルジエトキシシラン、ジ−イコシルジエトキシシラン、ジ−アリルジエトキシシラン、ジ−ビニルジエトキシシラン、ジ−フェニルジエトキシシラン、ジ−ノニルフェニルジエトキシシラン、ジメチル−ビス−（２−メトキシエトキシ）シラン、ジエチル−ビス−（２−メトキシエトキシ）シラン、ジ−ｎ−プロピル−ビス−（２−メトキシエトキシ）シラン、ジ−イソプロピル−ビス−（２−メトキシエトキシ）シラン、ジ−ｎ−ブチル−ビス−（２−メトキシエトキシ）シラン、ジ−イソブチル−ビス−（２−メトキシエトキシ）シラン、ジ−ｓｅｃ−ブチル−ビス−（２−メトキシエトキシ）シラン、ジ−ｔｅｒｔ−ブチル−ビス−（２−メトキシエトキシ）シラン、
ブチルメチル−ビス−（２−メトキシエトキシ）シラン、ブチルエチル−ビス−（２−メトキシエトキシ）シラン、ブチルプロピル−ビス−（２−メトキシエトキシ）シラン、ジ−ｎ−ペンチル−ビス−（２−メトキシエトキシ）シラン、ジ−イソペンチル−ビス−（２−メトキシエトキシ）シラン、ジ−ネオペンチル−ビス−（２−メトキシエトキシ）シラン、ジ−ｎ−ヘキシル−ビス−（２−メトキシエトキシ）シラン、ジ−イソヘキシル−ビス−（２−メトキシエトキシ）シラン、ジ−シクロヘキシル−ビス−（２−メトキシエトキシ）シラン、シクロヘキシルメチル−ビス−（２−メトキシエトキシ）シラン、シクロヘキシルエチル−ビス−（２−メトキシエトキシ）シラン、ヘキシルメチル−ビス−（２−メトキシエトキシ）シラン、ヘキシルエチル−ビス−（２−メトキシエトキシ）シラン、ジヘプチル−ビス−（２−メトキシエトキシ）シラン、ジ−ｎ−オクチル−ビス−（２−メトキシエトキシ）シラン、ジ−イソオクチル−ビス−（２−メトキシエトキシ）シラン、ジノニル−ビス−（２−メトキシエトキシ）シラン、ジ−デシル−ビス−（２−メトキシエトキシ）シラン、ジ−ウンデシル−ビス−（２−メトキシエトキシ）シラン、ジ−ドデシル−ビス−（２−メトキシエトキシ）シラン、ジ−テトラデシル−ビス−（２−メトキシエトキシ）シラン、ジ−ヘキサデシル−ビス−（２−メトキシエトキシ）シラン、ジ−オクタデシル−ビス−（２−メトキシエトキシ）シラン、ジ−イコシル−ビス−（２−メトキシエトキシ）シラン、ジ−アリル−ビス−（２−メトキシエトキシ）シラン、ジ−ビニル−ビス−（２−メトキシエトキシ）シラン、ジ−フェニル−ビス−（２−メトキシエトキシ）シラン、ジ−ノニルフェニル−ビス−（２−メトキシエトキシ）シラン、ジメチル−ビス−（２−エトキシエトキシ）シラン、ジエチル−ビス−（２−エトキシエトキシ）シラン、ジ−ｎ−プロピル−ビス−（２−エトキシエトキシ）シラン、ジ−イソプロピル−ビス−（２−エトキシエトキシ）シラン、ジ−ｎ−ブチル−ビス−（２−エトキシエトキシ）シラン、ジ−イソブチル−ビス−（２−エトキシエトキシ）シラン、ジ−ｓｅｃ−ブチル−ビス−（２−エトキシエトキシ）シラン、ジ−ｔｅｒｔ−ブチル−ビス−（２−エトキシエトキシ）シラン、ブチルメチル−ビス−（２−エトキシエトキシ）シラン、ブチルエチル−ビス−（２−エトキシエトキシ）シラン、ブチルプロピル−ビス−（２−エトキシエトキシ）シラン、ジ−ｎ−ペンチル−ビス−（２−エトキシエトキシ）シラン、ジ−イソペンチル−ビス−（２−エトキシエトキシ）シラン、ジ−ネオペンチル−ビス−（２−エトキシエトキシ）シラン、ジ−ｎ−ヘキシル−ビス−（２−エトキシエトキシ）シラン、ジ−イソヘキシル−ビス−（２−エトキシエトキシ）シラン、ジ−シクロヘキシル−ビス−（２−エトキシエトキシ）シラン、シクロヘキシルメチル−ビス−（２−エトキシエトキシ）シラン、シクロヘキシルエチル−ビス−（２−エトキシエトキシ）シラン、ヘキシルメチル−ビス−（２−エトキシエトキシ）シラン、ヘキシルエチル−ビス−（２−エトキシエトキシ）シラン、ジヘプチル−ビス−（２−エトキシエトキシ）シラン、ジ−ｎ−オクチル−ビス−（２−エトキシエトキシ）シラン、ジ−イソオクチル−ビス−（２−エトキシエトキシ）シラン、ジノニル−ビス−（２−エトキシエトキシ）シラン、ジ−デシル−ビス−（２−エトキシエトキシ）シラン、ジ−ウンデシル−ビス−（２−エトキシエトキシ）シラン、ジ−ドデシル−ビス−（２−エトキシエトキシ）シラン、ジ−テトラデシル−ビス−（２−エトキシエトキシ）シラン、ジ−ヘキサデシル−ビス−（２−エトキシエトキシ）シラン、ジ−オクタデシル−ビス−（２−エトキシエトキシ）シラン、ジ−イコシル−ビス−（２−エトキシエトキシ）シラン、ジ−アリル−ビス−（２−エトキシエトキシ）シラン、ジ−ビニル−ビス−（２−エトキシエトキシ）シラン、ジ−フェニル−ビス−（２−エトキシエトキシ）シラン、ジ−ノニルフェニル−ビス−（２−エトキシエトキシ）シラン、トリメチルメトキシシラン、トリエチルメトキシシラン、トリ−ｎ−プロピルメトキシシラン、トリ−イソプロピルメトキシシラン、トリ−ｎ−ブチルメトキシシラン、トリ−イソブチルメトキシシラン、トリ−ｓｅｃ−ブチルメトキシシラン、トリ−ｔｅｒｔ−ブチルメトキシシラン、トリ−ｎ−ペンチルメトキシシラン、トリ−イソペンチルメトキシシラン、トリ−ネオペンチルメトキシシラン、トリ−ｎ−ヘキシルメトキシシラン、トリ−イソヘキシルメトキシシラン、トリ−シクロヘキシルメトキシシラン、トリ−ヘプチルメトキシシラン、トリ−ｎ−オクチルメトキシシラン、トリ−イソオクチルメトキシシラン、トリ−ノニルメトキシシラン、トリ−デシルメトキシシラン、トリ−ウンデシルメトキシシラン、トリ−ドデシルメトキシシラン、トリ−テトラデシルメトキシシラン、トリ−ヘキサデシルメトキシシラン、トリ−オクタデシルメトキシシラン、トリ−イコシルメトキシシラン、トリ−アリルメトキシシラン、トリ−ビニルメトキシシラン、トリ−フェニルメトキシシラン、トリ−ノニルフェニルメトキシシラン、トリメチルエトキシシラン、トリエチルエトキシシラン、トリ−ｎ−プロピルエトキシシラン、トリ−イソプロピルエトキシシラン、トリ−ｎ−ブチルエトキシシラン、トリ−イソブチルエトキシシラン、トリ−ｓｅｃ−ブチルエトキシシラン、トリ−ｔｅｒｔ−ブチルエトキシシラン、トリ−ｎ−ペンチルエトキシシラン、トリ−イソペンチルエトキシシラン、トリ−ネオペンチルエトキシシラン、トリ−ｎ−ヘキシルエトキシシラン、トリ−イソヘキシルエトキシシラン、トリ−シクロヘキシルエトキシシラン、トリ−ヘプチルエトキシシラン、トリ−ｎ−オクチルエトキシシラン、トリ−イソオクチルエトキシシラン、トリ−ノニルエトキシシラン、トリ−デシルエトキシシラン、トリ−ウンデシルエトキシシラン、トリ−ドデシルエトキシシラン、トリ−テトラデシルエトキシシラン、トリ−ヘキサデシルエトキシシラン、トリ−オクタデシルエトキシシラン、トリ−イコシルエトキシシラン、トリ−アリルエトキシシラン、トリ−ビニルエトキシシラン、トリ−フェニルエトキシシラン、トリ−ノニルフェニルエトキシシラン、トリメチル−（２−メトキシエトキシ）シラン、トリエチル−（２−メトキシエトキシ）シラン、トリ−ｎ−プロピル−（２−メトキシエトキシ）シラン、トリ−イソプロピル−（２−メトキシエトキシ）シラン、トリ−ｎ−ブチル−（２−メトキシエトキシ）シラン、トリ−イソブチル−（２−メトキシエトキシ）シラン、トリ−ｓｅｃ−ブチル−（２−メトキシエトキシ）シラン、トリ−ｔｅｒｔ−ブチル−（２−メトキシエトキシ）シラン、トリ−ｎ−ペンチル−（２−メトキシエトキシ）シラン、トリ−イソペンチル−（２−メトキシエトキシ）シラン、トリ−ネオペンチル−（２−メトキシエトキシ）シラン、トリ−ｎ−ヘキシル−（２−メトキシエトキシ）シラン、トリ−イソヘキシル−（２−メトキシエトキシ）シラン、トリ−シクロヘキシル−（２−メトキシエトキシ）シラン、トリ−ヘプチル−（２−メトキシエトキシ）シラン、トリ−ｎ−オクチル−（２−メトキシエトキシ）シラン、トリ−イソオクチル−（２−メトキシエトキシ）シラン、トリ−ノニル−（２−メトキシエトキシ）シラン、トリ−デシル−（２−メトキシエトキシ）シラン、トリ−ウンデシル−（２−メトキシエトキシ）シラン、トリ−ドデシル−（２−メトキシエトキシ）シラン、トリ−テトラデシル−（２−メトキシエトキシ）シラン、トリ−ヘキサデシル−（２−メトキシエトキシ）シラン、トリ−オクタデシル−（２−メトキシエトキシ）シラン、トリ−イコシル−（２−メトキシエトキシ）シラン、トリ−アリル−（２−メトキシエトキシ）シラン、トリ−ビニル−（２−メトキシエトキシ）シラン、トリ−フェニル−（２−メトキシエトキシ）シラン、トリ−ノニルフェニル−（２−メトキシエトキシ）シラン、トリメチル−（２−エトキシエトキシ）シラン、トリエチル−（２−エトキシエトキシ）シラン、トリ−ｎ−プロピル−（２−エトキシエトキシ）シラン、トリ−イソプロピル−（２−エトキシエトキシ）シラン、トリ−ｎ−ブチル−（２−エトキシエトキシ）シラン、トリ−イソブチル−（２−エトキシエトキシ）シラン、トリ−ｓｅｃ−ブチル−（２−エトキシエトキシ）シラン、トリ−ｔｅｒｔ−ブチル−（２−エトキシエトキシ）シラン、トリ−ｎ−ペンチル−（２−エトキシエトキシ）シラン、トリ−イソペンチル−（２−エトキシエトキシ）シラン、トリ−ネオペンチル−（２−エトキシエトキシ）シラン、トリ−ｎ−ヘキシル−（２−エトキシエトキシ）シラン、トリ−イソヘキシル−（２−エトキシエトキシ）シラン、トリ−シクロヘキシル−（２−エトキシエトキシ）シラン、トリ−ヘプチル−（２−エトキシエトキシ）シラン、トリ−ｎ−オクチル−（２−エトキシエトキシ）シラン、トリ−イソオクチル−（２−エトキシエトキシ）シラン、トリ−ノニル−（２−エトキシエトキシ）シラン、トリ−デシル−（２−エトキシエトキシ）シラン、トリ−ウンデシル−（２−エトキシエトキシ）シラン、トリ−ドデシル−（２−エトキシエトキシ）シラン、トリ−テトラデシル−（２−エトキシエトキシ）シラン、トリ−ヘキサデシル−（２−エトキシエトキシ）シラン、トリ−オクタデシル−（２−エトキシエトキシ）シラン、トリ−イコシル−（２−エトキシエトキシ）シラン、トリ−アリル−（２−エトキシエトキシ）シラン、トリ−ビニル−（２−エトキシエトキシ）シラン、トリ−フェニル−（２−エトキシエトキシ）シラン、およびトリ−ノニルフェニル−（２−エトキシエトキシ）シランから選択される。
【００１７】
特定の例示的な実施形態では、第一シランは、アルキルトリアルコキシシラン、ジアルキルジアルコキシシラン、トリアルキルアルコキシシラン、およびそのブレンドから選択される。
【００１８】
特定の例示的な実施形態では、第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、ジメチルジメトキシシラン、ジエチルジメトキシシラン、ジメチルジエトキシシラン、ジエチルジエトキシシラン、およびそのブレンドから選択される。
【００１９】
特定の例示的な実施形態では、第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、およびそのブレンドから選択される。特定の実施形態では、第一シランは、メチルトリエトキシシランを含む。特定の実施形態では、第一シランは、イソブチルトリエトキシシランを含む。
【００２０】
特定の例示的な実施形態では、第二シランは、アルキルトリアルコキシシラン、ジアルキルジアルコキシシラン、トリアルキルアルコキシシラン、およびそのブレンドから選択される。
【００２１】
特定の例示的な実施形態では、第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシシラン、シクロヘキシルメチルジメトキシシラン、シクロヘキシルエチルジメトキシシラン、シクロヘキシルメチルジエトキシシラン、シクロヘキシルエチルジエトキシシラン、およびそのブレンドから選択される。
【００２２】
特定の例示的な実施形態では、第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシシラン、およびそのブレンドから選択される。特定の実施形態では、第二シランは、ｎ−オクチルトリエトキシシランを含む。
【００２３】
特定の実施形態では、第一シランは、イソブチルトリエトキシシランを含み、第二シランは、ｎ−オクチルトリエトキシシランを含む。
【００２４】
第一シランと第二シランの分子量は、分子の成分原子の原子量の合計を基準として計算される。
【００２５】
特定の実施形態では、第一シランの分子量は、約１００ｇ／ｍｏｌ〜約２７０ｇ／ｍｏｌである。
【００２６】
いくつかの実施形態では、第二シランの分子量は、約２７０ｇ／ｍｏｌ〜約５７５ｇ／ｍｏｌである。
【００２７】
特定の実施形態では、第一シランの分子量は、約１００ｇ／ｍｏｌ〜約２７０ｇ／ｍｏｌであり、第二シランの分子量は、約２７０ｇ／ｍｏｌ〜約５７５ｇ／ｍｏｌである。
【００２８】
いくつかの実施形態では、第一シランの分子量は、約１５０ｇ／ｍｏｌ〜約２５０ｇ／ｍｏｌであり、第二シランの分子量は、約２７０ｇ／ｍｏｌ〜約４００ｇ／ｍｏｌである。
【００２９】
いくつかの実施形態では、第一シランの分子量は、約１７０ｇ／ｍｏｌ〜約２４０ｇ／ｍｏｌであり、第二シランの分子量は、約２７０ｇ／ｍｏｌ〜約３００ｇ／ｍｏｌである。
【００３０】
特定の実施形態では、封止材組成物は、シラン反応を促進するために触媒を含んでよい。いくつかの実施形態では、この触媒は、ルイス酸およびルイス塩基から選択される。
【００３１】
いくつかの実施形態では、この触媒は、有機チタン酸エステルから選択される。いくつかの実施形態では、この触媒は、テトライソプロピルチタネート、テトラ−ｎ−ブチルチタネート、テトラキス（２−エチルヘキシル）チタネート、およびその混合物から選択される。
【００３２】
シランの反応は、スズ化合物、例えばジブチルスズジラウレート、ジブチルスズビス（アセチルアセトネート）、ジ−ｎ−オクチルスズジラウレート、およびジ−ｎ−オクチルスズジ（アセチルアセトネート）による触媒作用を受けることができる。
【００３３】
浸透性の封止材組成物には、少なくとも１種の腐食防止剤が含まれる。実例として、ただし、これらに限定されないが、腐食防止剤は、アルキルアセトアミド、アルキルカルボン酸およびその塩、アルコキシカルボン酸およびその塩、アルコキシレート、リン含有化合物、トリアジン、およびその混合物から選択することができる。いくつかの実施形態では、リン含有化合物は、アルキルホスホン酸およびリン酸エステルの少なくとも１つを含んでよい。いくつかの実施形態では、リン酸エステルは、ポリエーテルホスフェート、アルキルリン酸エステル、およびアミンブロックされたアルキルリン酸エステルの少なくとも１つを含む。
【００３４】
特定の実施形態では、腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物から選択される。
【００３５】
特定の実施形態では、腐食防止剤は、エチニルカルビノールアルコキシレートとアミンブロックされたＣ6〜Ｃ10アルキルリン酸モノエステルのブレンドを含む。いくつかの実施形態では、腐食防止剤は、ジメチルアセトアミドとトリイソブチルホスフェートのブレンドを含む。
【００３６】
封止材組成物は、実質的に非水性であり、第一シランと、第一シランよりも高い分子量を有する第二シランと、シランに可溶であり、溶媒希釈シランに可溶であり、水に少なくとも部分的に可溶である腐食防止剤とを含む。いくつかの実施形態では、封止材組成物は、溶解度を促進させるために溶媒を含んでよく、封止材組成物は、溶媒希釈シランまたは純粋なシランを含んでよい。特定の実施形態では、この溶媒は、脂肪族炭化水素、芳香族炭化水素、ケトン、アルコール、およびその混合物から選択される。いくつかの実施形態では、この溶媒は、アセトン、メタノール、エタノール、イソプロパノール、およびその混合物から選択される。
【００３７】
特定の実施形態では、腐食防止剤は、提供されるシランに溶解性を示すことができ、溶媒希釈シランに溶解性を示すことができ、少なくとも部分的な水溶性を示すこともでき、かつシランを反応させたり、引火点に影響を及ぼす揮発性成分および揮発性有機化合物（ＶＯＣｓ）を生成させたりすることなく、慣用の水硬性セメント系コンクリートの間隙構造内に見られる環境において安定していられる。特定の実施形態によれば、封止材組成物の引火点は６０℃以上である。特定の理論に束縛されるものではないが、腐食防止剤の溶解性によって、腐食防止剤をコンクリート表面への塗布中にシラン材料と共に浸透させることができ、かつ繰り返し処理によって、この防止剤をコンクリートの深部に導入することができ、ここで、この防止剤は残留してよいが、防止剤を拡散または洗い流す液体の水は存在していない。シラン処理されたコンクリートが、亀裂、アルコキシシランの反応生成物の揮発性、またはコンクリートにおける水硬性セメントの連続的な水和からの新鮮な親水性部位の形成などの理由により、液体の水に対して透過性になることができる時に、液体の水は、防止剤を溶解し、コンクリート内を自由に移動させることができる。液体の水における腐食防止剤の移動性によって、鋼補強材とコンクリートの界面で付加的に腐食保護をもたらすことができる。
【００３８】
シランと腐食防止剤とを含む封止材を、亀裂コンクリートにその後に再塗布することによって、腐食防止剤が亀裂の先端にもたらされて腐食反応を防止することができる。
【００３９】
物質の溶解性は、溶解媒体中で混和性であるか、または溶解媒体に溶解させることができる物質の量によって定義できる。ある物質を、約１００ｍｌの溶解媒体に約３ｇ以上溶解させることができる場合、その物質は可溶性であると見なすことができる。ある物質を、約１００ｍｌの溶解媒体に約０．０１ｇ〜約３ｇ溶解させることができる場合、その物質は部分的に可溶性であると見なすことができる。ある物質を、約１００ｍｌの溶解媒体に約０．０１ｇ未満溶解させることができる場合、その物質は不溶性であると見なすことができる。
【００４０】
また、ある物質を、約１００ｇの溶解媒体に約３ｇ以上溶解させることができる場合、その物質は可溶性であると見なすことができる。ある物質を、約１００ｇの溶解媒体に約０．０１ｇ溶解させることができる場合、その物質は部分的に可溶性であると見なすことができる。ある物質を、１００ｇの溶解媒体に約０．０１ｇ未満溶解させることができる場合、その物質は不溶性であると見なすことができる。
【００４１】
セメント基材；および浸透性の封止材を含むセメント構造物であって、
この封止材は、
第一シランと；
この第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含み、
この封止材は、前述のセメント基材の表面に塗布されて、この基材に少なくとも部分的に浸透している、セメント構造物が提供される。
【００４２】
特定の実施形態では、提供されるセメント構造物のセメント基材は、コンクリート基材、組積造基材、およびモルタル基材から選択される。いくつかの実施形態では、セメント基材は、コンクリート基材および組積造基材から選択される。特定の実施形態では、セメント基材は、コンクリート基材を含む。
【００４３】
特定の実施形態に従って、セメント基材は、コンクリート、組積造、モルタルなどから選択することができ、セメント材料、例えば水硬性セメントまたはモルタルなどを含むことができる。また、セメント基材は、腐食生成物を吸収するのに充分に圧縮可能であるマトリックスを含むことができる。
【００４４】
「水硬性セメント」という用語は、その通常の意味では、水との混合物中で適用され、その後、存在する水を消費する物理的または化学的変化の結果、硬化または硬化し終える構造材料のクラスを指す。ポルトランドセメント以外に、水硬性セメントには特に以下のものが含まれる：
１．超速硬セメント、例えば高いアルミナ含有量を有するもの。
２．ケイ酸二カルシウムおよび四カルシウムアルミノフェライトの高い割合と、ケイ酸三カルシウムおよびアルミン酸三カルシウムの低い割合を特徴とする低熱セメント。
３．ケイ酸三カルシウムおよびケイ酸二カルシウムの異常に高い割合と、アルミン酸三カルシウムおよび四カルシウムアルミノフェライトの異常に低い割合を特徴とする、耐硫酸塩セメント。
４．ポルトランドセメントクリンカーと水砕スラグの混合物を含むポルトランド高炉セメント。
５．組積造セメント、例えばポルトランドセメントと以下のもの：消石灰、水砕スラグ、粉末石灰岩、コロイド粘土、ケイソウ土またはその他の微粉化形態のシリカ、ステアリン酸カルシウムおよびパラフィンの１つまたは複数の混合物。
６．アメリカ合衆国リーハイバレーの鉱床から得られた材料であることを特徴とする天然セメント。
７．ある程度の粘土質材料を含むか、含まないかにかかわらず、カルシウムの酸化物をその純粋または不純物の形態で含む石灰セメント。
８．５％〜１０％のパリ石膏を石灰に添加することを特徴とする、セレナイトセメント。
９．ポゾラン、ポルトランドセメント、水酸化カルシウム、水、トラスケイソウ土（ｔｒａｓｓ  ｋｉｅｓｅｌｇｕｈｒ）、軽石、トゥファ、サントリン土または水砕スラグと石灰モルタルとの混合物を含む、ポゾランセメント。
１０．硫酸カルシウムの水和に依存する、およびパリ石膏、キーンスセメントおよびパリアンセメントを含むことを特徴とする、硫酸カルシウムセメント。
【００４５】
水硬性セメントの好適な非限定例としては、ポルトランドセメント、組積造セメント、アルミナセメント、耐火セメント、マグネシアセメント、例えばリン酸マグネシウムセメント、リン酸マグネシウムカリウムセメント、アルミン酸カルシウムセメント、スルホアルミン酸カルシウムセメント、油井セメント、混合スラグ、フライアッシュまたはポゾランセメント、天然セメント、水硬性石灰、およびその混合物が挙げられる。商業で使用されるポルトランドセメントとは、水硬性ケイ酸カルシウム、アルミン酸カルシウムおよびカルシウムフェロアルミネートを含むクリンカーを、相互磨砕添加物（ｉｎｔｅｒｇｒｏｕｎｄ  ａｄｄｉｔｉｏｎ）である１種または複数の形態の硫酸カルシウムと共に粉末化することによって製造される水硬性セメントを意味する。ＡＳＴＭ  Ｃ１５０によるポルトランドセメントは、タイプＩ、ＩＩ、ＩＩＩ、ＩＶまたはＶに分類される。
【００４６】
特定の実施形態では、セメント基材は、細骨材を含むモルタルを含んでよい。この細骨材は、４番のふるい（ＡＳＴＭ  Ｃ１２５およびＡＳＴＭ  Ｃ３３）をほぼ完全に通過する材料であり、例えばシリカ砂である。
【００４７】
いくつかの実施形態では、セメント基材は、粗骨材を含むコンクリートを含んでよい。粗骨材は、４番のふるい（ＡＳＴＭ  Ｃ１２５およびＡＳＴＭ  Ｃ３３）上で大部分が保持される材料であり、例えばシリカ、石英、破砕大理石、ガラス球、花崗岩、石灰岩、方解石、長石、沖積砂、砂またはその他の耐久性骨材、およびその混合物である。
【００４８】
提供されるセメント構造物の特定の実施形態では、第一シランの分子量は、約１００ｇ／ｍｏｌ〜約２７０ｇ／ｍｏｌである。提供されるセメント構造物のいくつかの実施形態では、第二シランの分子量は、約２７０ｇ／ｍｏｌ〜約５７５ｇ／ｍｏｌである。
【００４９】
提供されるセメント構造物の特定の実施形態では、第一シランの分子量は、約１００ｇ／ｍｏｌ〜約２７０ｇ／ｍｏｌであり、第二シランの分子量は、約２７０ｇ／ｍｏｌ〜約５７５ｇ／ｍｏｌである。
【００５０】
提供されるセメント構造物の特定の実施形態では、第一シランの分子量は、約１５０ｇ／ｍｏｌ〜約２５０ｇ／ｍｏｌであり、第二シランの分子量は、約２７０ｇ／ｍｏｌ〜約４００ｇ／ｍｏｌである。
【００５１】
提供されるセメント構造物の特定の実施形態では、第一シランの分子量は、約１７０ｇ／ｍｏｌ〜約２４０ｇ／ｍｏｌであり、第二シランの分子量は、約２７０ｇ／ｍｏｌ〜約３００ｇ／ｍｏｌである。
【００５２】
提供されるセメント構造物の特定の実施形態では、第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、およびそのブレンドから選択される。特定の実施形態では、第一シランは、メチルトリエトキシランを含む。いくつかの実施形態では、第一シランは、イソブチルトリエトキシランを含む。
【００５３】
提供されるセメント構造物の特定の実施形態では、第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシラン、およびそのブレンドから選択される。いくつかの実施形態では、第二シランは、ｎ−オクチルトリエトキシシランを含む。
【００５４】
提供されるセメント構造物の特定の実施形態では、第一シランは、イソブチルトリエトキシシランを含み、第二シランは、ｎ−オクチルトリエトキシシランを含む。
【００５５】
提供されるセメント構造物の特定の実施形態では、腐食防止剤は、アルキルアセトアミド、アルキルカルボン酸およびその塩、アルコキシカルボン酸およびその塩、アルコキシレート、リン含有化合物、トリアジン、およびその混合物から選択することができる。いくつかの実施形態では、リン含有化合物は、アルキルホスホン酸およびリン酸エステルの少なくとも１つを含んでよい。いくつかの実施形態では、リン酸エステルは、ポリエーテルホスフェート、アルキルリン酸エステル、およびアミンブロックされたアルキルリン酸エステルの少なくとも１つを含む。
【００５６】
提供されるセメント構造物の特定の実施形態では、腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物から選択される。
【００５７】
提供されるセメント構造物の特定の実施形態では、腐食防止剤は、エチニルカルビノールアルコキシレートとアミンブロックされたＣ6〜Ｃ10アルキルリン酸モノエステルのブレンドを含む。提供されるセメント構造物のいくつかの実施形態では、腐食防止剤は、ジメチルアセトアミドとトリイソブチルホスフェートのブレンドを含む。
【００５８】
腐食原因物質の侵入から鉄骨鉄筋セメント構造物を封止する方法であって、
第一シランと；
この第一シランよりも高い分子量を有する第二シランと；
シランに可溶であり、溶媒希釈シランに可溶であり、水に少なくとも部分的に可溶である少なくとも１種の腐食防止剤と
の実質的に非水性のブレンドを含む浸透性の封止材を、鉄骨鉄筋セメント基材の表面に塗布して、封止材組成物を基材に浸透させることを含む方法が提供される。
【００５９】
特定の実施形態では、提供される方法のセメント構造物のセメント基材は、コンクリート基材、組積造基材、およびモルタル基材から選択される。いくつかの実施形態では、セメント基材は、コンクリート基材および組積造基材からなる群から選択される。特定の実施形態では、セメント基材は、コンクリート基材を含む。
【００６０】
腐食原因物質の侵入から鉄骨鉄筋セメント構造物を封止する、提供される方法の特定の実施形態では、第一シランの分子量は、約１００ｇ／ｍｏｌ〜約２７０ｇ／ｍｏｌである。提供される方法のいくつかの実施形態では、第二シランの分子量は、約２７０ｇ／ｍｏｌ〜約５７５ｇ／ｍｏｌである。
【００６１】
腐食原因物質の侵入から鉄骨鉄筋セメント構造物を封止する、提供される方法の特定の実施形態では、第一シランの分子量は、約１００ｇ／ｍｏｌ〜約２７０ｇ／ｍｏｌであり、第二シランの分子量は、約２７０ｇ／ｍｏｌ〜約５７５ｇ／ｍｏｌである。
【００６２】
腐食原因物質の侵入から鉄骨鉄筋セメント構造物を封止する、提供される方法の特定の実施形態では、第一シランの分子量は、約１５０ｇ／ｍｏｌ〜約２５０ｇ／ｍｏｌであり、第二シランの分子量は、約２７０ｇ／ｍｏｌ〜約４００ｇ／ｍｏｌである。
【００６３】
腐食原因物質の侵入から鉄骨鉄筋セメント構造物を封止する、提供される方法の特定の実施形態では、第一シランの分子量は、約１７０ｇ／ｍｏｌ〜約２４０ｇ／ｍｏｌであり、第二シランの分子量は、約２７０ｇ／ｍｏｌ〜約３００ｇ／ｍｏｌである。
【００６４】
腐食原因物質の侵入から鉄骨鉄筋セメント構造物を封止する、提供される方法の特定の実施形態では、第一シランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、およびそのブレンドから選択される。特定の実施形態では、第一シランは、メチルトリエトキシシランを含む。いくつかの実施形態では、第一シランは、イソブチルトリエトキシシランを含む。
【００６５】
腐食原因物質の侵入から鉄骨鉄筋セメント構造物を封止する、提供される方法の特定の実施形態では、第二シランは、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシシラン、およびそのブレンドから選択される。いくつかの実施形態では、第二シランは、ｎ−オクチルトリエトキシシランを含む。
【００６６】
腐食原因物質の侵入から鉄骨鉄筋セメント構造物を封止する、提供される方法の特定の実施形態では、第一シランは、メチルトリエトキシシランを含み、第二シランは、ｎ−オクチルトリエトキシシランを含む。
【００６７】
腐食原因物質の侵入から鉄骨鉄筋セメント構造物を封止する、提供される方法の特定の実施形態では、第一シランは、イソブチルトリエトキシシランを含み、第二シランは、ｎ−オクチルトリエトキシシランを含む。
【００６８】
腐食原因物質の侵入から鉄骨鉄筋セメント構造物を封止する、提供される方法の特定の実施形態では、腐食防止剤は、アルキルアセトアミド、アルキルカルボン酸およびその塩、アルコキシカルボン酸およびその塩、アルコキシレート、リン含有化合物、トリアジン、およびその混合物から選択することができる。いくつかの実施形態では、リン含有化合物は、アルキルホスホン酸およびリン酸エステルの少なくとも１つを含んでよい。いくつかの実施形態では、リン酸エステルは、ポリエーテルホスフェート、アルキルリン酸エステル、およびアミンブロックされたアルキルリン酸エステルの少なくとも１つを含む。
【００６９】
腐食原因物質の侵入から鉄骨鉄筋セメント構造物を封止する、提供される方法の特定の実施形態では、腐食防止剤は、ジメチルアセトアミド、ジエチルアセトアミド、セバシン酸二ナトリウム、イソノニルフェノキシ酢酸、エチニルカルビノールアルコキシレート、オクタンホスホン酸、モノ−ｎ−オクチルリン酸エステル、アミンブロックされたＣ6〜Ｃ10アルキルリン酸モノエステル、トリイソブチルホスフェート、ポリエーテルホスフェート、１，３，５−トリス［３−（ジメチルアミノ）プロピル］ヘキサヒドロ−１，３，５−トリアジン、およびその混合物から選択される。
【００７０】
腐食原因物質の侵入から鉄骨鉄筋セメント構造物を封止する、提供される方法の特定の実施形態では、腐食防止剤は、エチニルカルビノールアルコキシレートとアミンブロックされたＣ6〜Ｃ10アルキルリン酸モノエステルのブレンドを含む。腐食原因物質の侵入から鉄骨鉄筋セメント構造物を封止する、提供される方法のいくつかの実施形態では、腐食防止剤は、ジメチルアセトアミドとトリイソブチルホスフェートのブレンドを含む。
【００７１】
セメント基材、セメント構造物、および鉄骨鉄筋セメント構造物を封止する方法のために提供される封止材組成物の特定の実施形態では、封止材組成物は、異なる分子量を有する３つ以上のシランの実質的に非水性のブレンドを含む。特定の実施形態では、それらのシランは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、ジメチルジメトキシシラン、ジエチルジメトキシシラン、ジメチルジエトキシシラン、ジエチルジエトキシシラン、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシシラン、シクロヘキシルメチルジメトキシシラン、シクロヘキシルエチルジメトキシシラン、シクロヘキシルメチルジエトキシシラン、シクロヘキシルエチルジエトキシシラン、およびそのブレンドから選択される。
【００７２】
セメント基材、セメント構造物、および鉄骨鉄筋セメント構造物を封止する方法のために提供される封止材組成物のいくつかの実施形態では、封止材組成物は、異なる分子量を有する３つ以上のシランの実質的に非水性のブレンドを含み、それらは、メチルトリメトキシシラン、エチルトリメトキシシラン、ｎ−ブチルトリメトキシシラン、イソブチルトリメトキシシラン、メチルトリエトキシシラン、エチルトリエトキシシラン、ｎ−ブチルトリエトキシシラン、イソブチルトリエトキシシラン、ｎ−オクチルトリメトキシシラン、イソオクチルトリメトキシシラン、ドデシルトリメトキシシラン、ヘキサデシルトリメトキシシラン、ｎ−オクチルトリエトキシシラン、イソオクチルトリエトキシシラン、ドデシルトリエトキシシラン、ヘキサデシルトリエトキシシラン、およびそのブレンドから選択される。
【００７３】
セメント基材、セメント構造物、および鉄骨鉄筋セメント構造物を封止する方法のために提供される封止材組成物の特定の実施形態では、封止材組成物は、メチルトリエトキシシラン、イソブチルトリエトキシシラン、およびｎ−オクチルトリエトキシシランの実質的に非水性のブレンドを含む。
【００７４】
セメント基材、セメント構造物、および鉄骨鉄筋セメント構造物を封止する方法のために提供される封止材組成物は、再塗布時に疎水性によってどんな水ベース材料もはじかれるため、エマルションまたはその他の水ベース系と比べて塗布および再塗布において改善された性能を提供する。提供される封止材組成物は、あらかじめ塗布された封止材が間隙にそれ以上充填されなくなると、すでに疎水化処理されたコンクリートに浸透し、塗布および再塗布が複数回繰り返されることによって性能の改善を可能にする。
【００７５】
実施例
以下の例は、浸透性の封止材組成物、この浸透性の封止材組成物で封止されたセメント組成物、およびこの浸透性の封止材組成物で鉄骨鉄筋セメント構造物を封止する方法の単なる例示にすぎない。例示的な例は、浸透性の封止材組成物、この浸透性封止材組成物で封止されたセメント組成物、および／またはこの浸透性の封止材組成物で鉄骨鉄筋セメント構造物を封止する方法を対象とする請求項の範囲をいかなる方法によっても限定するものではなく、かつ限定するものと解釈されるべきではない。
【００７６】
アノード分極試験は、封止材なしのブランク対照試料と比較して、提供される封止材組成物の改善された腐食性能を示すものである。
【００７７】
試験片の準備は、Ｎｏ．４の鉄筋を長さ５インチの断片に切断し、この鉄筋の頂部に予め穴を開けて小ネジ（８／３２×１／４インチ）をタップ立てできるようにし、棒材を面取りして鋭利な縁部を取り除き、タップ立てされた穴をアセトンで洗浄して細塵とタップ立て作業の油を取り除き、８／３２×１／４インチの小ネジをこのタップ立てされた領域に挿入して研磨ブラスト処理用グリットによる穴の汚染を防ぎ、外側表面が取り除かれて均一な明るさ（ＳＳＰＣ−ＳＰ  ５／ＮＡＣＥ  Ｎｏ．  １，  Ｗｈｉｔｅ  Ｍｅｔａｌ  Ｂｌａｓｔ  Ｃｌｅａｎｉｎｇ（完全清浄ブラストクリーニング））になるまでこの鉄筋を研磨ブラスト処理し、圧縮空気を用いて残留砂粒子を除去し、ねじ穴を含めてアセトンで洗浄して乾燥させ、試験片を清浄なペーパータオルに置いて乾燥させ、小ネジを取り除いて、タップ立てされた穴が清浄であり、グリースが除かれており、かつ取付ネジのための充分な深さがあるかを確認し、この鉄筋をＮａＯＨ溶液（溶液１リットルあたり４０グラム、１ノルマル＝１モル濃度）中に５０℃で２４時間浸し、スペーサーを用いて鋼片との溶液接触を最大限にして均一な不動態化を確実にし、蒸留水で洗浄した直後にアセトンで洗浄して乾燥させ、８／３２×１４インチの小ネジと中実電線（１４ゲージ）をこの鉄筋に取り付け、指紋や汗が付かないようにこの鉄筋を取り扱う際は手袋を使用し、棒材のタップ立てされた端部を３インチだけ覆うように低粘度のエポキシに浸漬するか、またはブラシで塗布し、低粘度エポキシが粘着性になってから、小ネジとすべての露出した線を含めてこの鉄筋の頂部３インチにエポキシを塗布し、露出した鋼の底部２インチはそのままにして、端部にピンホールがなくなるまでエポキシを３回塗り重ねて行う。
【００７８】
これらの試験片をＡＳＴＭ  Ｃ１０９によって以下の混合設計を用いて鋳造する：７４０グラムのセメント（ＴＩ／ＩＩ）、２０３５グラムのＡＳＴＭ  Ｃ１０９砂、および３５９グラムのＨ2Ｏ、ＡＳＴＭ  Ｃ３０５ミキサーでＡＳＴＭ  Ｃ１０９手順を用いて混合し、モルタルを２×４インチのシリンダーに流し込み、鉄筋を金型の中央に置おいて、シリンダーの底表面から１インチの間隙を残した状態にし、棒材の位置を調整してモルタルを注ぎ、空気が発生しなくなるまで試験片を振動板上で振動させ、鋳造シリンダーを１ガロンの円筒容器内で湿ったタオルで覆って蒸発を防ぎ、覆った状態で２４時間放置し、湿潤環境に置き、２４時間後に試験片を抜き取り、試験片を石灰飽和水中に２４時間置き、試験片を石灰飽和水から取り出し、水道水で洗浄して、すべての面で空気循環が妨げられないようにして５０％の相対湿度に８〜１０日にわたって置いて、試験片を乾燥させる。
【００７９】
これらの試験片を、開示される封止材組成物で処理して、未処理の対照試験片と並行してアノード分極試験を行い、電流の増加を監視する。アノード分極試験に対する、時間数で表される耐腐食性を、様々な例について第１表に示す。Ｉｒｇａｃｏｒ（登録商標）およびＫｏｒａｎｔｉｎ（登録商標）の材料は、ＢＡＳＦ  Ｃｏｒｐｏｒａｔｉｏｎ（Ｆｌｏｒｈａｍ  Ｐａｒｋ，  Ｎｅｗ  Ｊｅｒｓｅｙ）から入手できる。
【００８０】
【表１】
2019513115.tif 000002
【００８１】
封止材組成物、セメント構造物、および腐食原因物質の侵入から鉄骨鉄筋セメント構造物を封止する方法が、種々の例示的な実施形態と関連して記載されているが、本明細書に記載される実施形態は単なる例であるにすぎず、当業者は、実施形態の趣旨および範囲から逸脱することなく修正および変更をすることができる。このような修正および変更はすべて、前述の実施形態の範囲内に含まれることが意図される。さらに、開示される実施形態はすべて、様々な実施形態を組み合わせて所望の結果をもたらすことができるため、必ずしも代替ではない。したがって、封止材組成物、セメント構造物、および鉄骨鉄筋セメント構造物を封止する方法は、任意の単一の実施形態に限定されるのではなく、むしろ添付の請求項の記載に従う広さおよび範囲で解釈されるべきである。
【国際調査報告】
2019513115.tif 000003
2019513115.tif 000004
2019513115.tif 000005